(57)【要約】【課題】気化器のノズル穴に付着したタール等の不純物によりノズル穴が詰まり燃焼不良になるのを防止する石油燃焼式温風暖房機用気化装置を提供する。【解決手段】気化器１の一端に送油管１３を接続し、他端にノズル１１を配置し、このノズル１１のノズル穴４をモーター２の軸３に接続した掃除棒５により開閉するようにした石油燃焼式温風暖房機用気化装置において、前記掃除棒５を回転させながらノズル穴４を開閉する方向に移動するように掃除棒５と前記モーター２の軸３とを連結する。【選択図】  図１
2004177073.tif 000002
【特許請求の範囲】
【請求項１】
気化器（１）の一端に送油管（１３）を接続し、他端にノズル（１１）を配置し、このノズル（１１）のノズル穴（４）をモーター（２）の軸（３）に接続した掃除棒（５）により開閉するようにした石油燃焼式温風暖房機用気化装置において、前記掃除棒（５）を回転させながらノズル穴（４）を開閉する方向に移動するように掃除棒（５）と前記モーター（２）の軸（３）とを連結したことを特徴とする石油燃焼式温風暖房機用気化装置。
【請求項２】
掃除棒（５）の先端部（１５）に溝（１４）を設け、この先端部（１５）がノズル穴（４）に出入りしてノズル穴（４）を開閉することを特徴とする請求項１項記載の石油燃焼式温風暖房機用気化装置。
【請求項３】
掃除棒（５）に設けられたねじ切り部（８）が気化器（１）側に設けられたねじ切り部（９）とはめ合い、モーター（２）の軸（３）の先端に設けられたピン（１０）を前記掃除棒（５）のモーター（２）側に設けられたスライド溝付き丸棒（７）に連結するように挿入し、モーター（２）の軸（３）の回転する方向を変化させることにより、掃除棒（５）が回転しながらノズル穴（４）を開閉する方向に移動するようにしたことを特徴とする請求項１項記載の石油燃焼式温風暖房機用気化装置。
【請求項４】
気化器（１）の一端に送油管（１３）を接続し、他端にノズル（１１）を配置し、このノズル（１１）のノズル穴（４）をモーター（２）の軸（３）に接続した掃除棒（５）により開閉するようにした石油燃焼式温風暖房機用気化装置において、前記モーター（２）の軸（３）の先端に設けられたねじ切り部（１６）が、前記掃除棒（５）のモーター（２）側に設けられたスライド溝付き丸棒（１９）のねじ切り部（２０）とはめ合い、前記モーター（２）の軸（３）の回転する方向を変化させることにより、前記掃除棒（５）がノズル穴（４）を開閉する方向に移動するように構成し、この掃除棒（５）のノズル（１１）側の先端部（１５）を鋭角的にカットしたことを特徴とする石油燃焼式温風暖房機用気化装置。
【発明の詳細な説明】
【０００１】
【発明の属する技術分野】
本発明は、灯油の気化ガスを発生させる気化器を備えた石油燃焼式温風暖房機用気化装置に関するものであり、特に、気化器のノズル穴にたまったタールを除去するようにした石油燃焼式温風暖房機用気化装置の改良に関するものである。
【０００２】
【従来の技術】
従来のこの種の石油燃焼式温風暖房機においては、長時間使用している間に気化器内でタールの生成と堆積が徐々に進行するため、気化器の気化能力が次第に低下してしまうという問題があった。
【０００３】
そしてこのタールの発生は気化器の温度、灯油の気化方法、灯油の温度上昇等により多少の差はあるものの、避けられないものである。
【０００４】
しかし、これを放置して燃焼を続けた場合にはタールが気化ガスの通路に付着して詰まり、気化ガスの量が減少して、燃焼量が少なくなる等燃焼不良に陥り、やがて使用不能になるという問題があった。
【０００５】
この現象に対して、灯油の気化ガスが噴出するノズル穴に出入りする掃除棒（針弁）を設け、この掃除棒に連結した可動片をソレノイドとスプリングの力でノズルの気化ガスの噴出する方向に前後に移動させて、気化ガスの噴出を開閉し、その動作に伴い、この掃除棒がノズル穴に出入りすることにより、ノズル穴周りに付着したタール等の不純物をノズル穴から除去するものが示されている（例えば、特許文献１参照。）。
【０００６】
また、気化ガスの噴出するノズル穴の開閉を行う掃除棒を歯車機構、またはカムを介してモーターに連動して、ノズルの気化ガスの噴出する方向に前後に移動させて、ノズル穴を開閉し、その動作に伴い、その掃除棒の先端により、ノズル穴周りに付着したタール等の不純物をノズル穴から除去するものが示されている（例えば、特許文献２参照。）。
【０００７】
【特許文献１】
実公昭６０−２６２５１号公報
【特許文献２】
実開平２−２１４２６号公報
【０００８】
【発明が解決しようとする課題】
しかしながら、上記の従来技術において、最初に示すものは気化器のノズル穴から噴出する気化ガスの開閉を行なう掃除棒が、ソレノイドとスプリングの力で前後に移動し、後者のものは歯車機構、または、カムを介してモーターに連動して前後に移動し、ノズル穴周りに付着したタール等の不純物をノズル穴から除去するようにしているが、石油燃焼式温風暖房機の長時間の使用により、ノズル穴周りにタール等の不純物が多く付着してくると、掃除棒を移動する力が足りず掃除棒の先端がノズル穴から出るまで至らずに途中で止まったりすることが多く見られ、本来のノズル穴を確保する用途を満たせず、穴が詰まり、結果として燃焼不良を引き起こし、やがて使用不能になるという問題があった。
【０００９】
【課題を解決するための手段】
本発明は上記の問題点を解決するためになされたものであり、請求項１の発明は、気化器の一端に送油管を接続し、他端にノズルを配置し、このノズルのノズル穴をモーターの軸に接続した掃除棒により開閉するようにした石油燃焼式温風暖房機用気化装置において、前記掃除棒を回転させながらノズル穴を開閉する方向に移動するように掃除棒と前記モーターの軸とを連結したものである。
【００１０】
また、請求項２の発明は、掃除棒の先端部に溝を設け、この先端部がノズル穴に出入りしてノズル穴を開閉したものである。
【００１１】
また、請求項３の発明は、掃除棒に設けられたねじ切り部が気化器側に設けられたねじ切り部とはめ合い、モーターの軸の先端に設けられたピンを前記掃除棒のモーター側に設けられたスライド溝付き丸棒に連結するように挿入し、モーターの軸の回転する方向を変化させることにより、掃除棒が回転しながらノズル穴を開閉する方向に移動するようにしたものである。
【００１２】
また、請求項４の発明は、気化器の一端に送油管を接続し、他端にノズルを配置し、このノズルのノズル穴をモーターの軸に接続した掃除棒により開閉する石油燃焼式温風暖房機用気化装置において、前記モーターの軸の先端に設けられたねじ切り部が、前記掃除棒のモーター側に設けられたスライド溝付き丸棒のねじ切り部とはめ合い、前記モーターの軸の回転する方向を変化させることにより、前記掃除棒がノズル穴を開閉する方向に移動するように構成し、この掃除棒のノズル側の先端部を鋭角的にカットしたものである。
【００１３】
これによって、気化器のノズル穴周りにタール等の不純物が多く付着しても、ノズル穴から噴出する気化ガスの開閉を行う掃除棒が途中で止まってしまい、ノズル穴周りに付着したタール等の不純物をノズル穴から除去できなく、ノズル穴が詰まってしまうことを無くすることができる。
【００１４】
【発明の実施の形態】
請求項１記載の発明は、掃除棒をモーターにより回転させながらノズル穴を開閉する方向に移動させるようにしたことにより、掃除棒の先端がノズル穴から出るまでに至らず途中で止まってしまうことが起きにくくなる。
【００１５】
請求項２記載の発明は、掃除棒の先端部に溝を設け、この掃除棒をモーターにより回転させながらノズル穴を開閉する方向に移動させるようにしたことにより、ノズル穴周りに付着したタール等の不純物を容易に除去することができるものであり、特に掃除棒の先端部に溝を設けることによりノズル穴周りに付着したタール等の不純物を削り取る作用があり、より効果的である。
【００１６】
請求項３記載の発明は、掃除棒に設けられたねじ切り部が気化器側に設けられたねじ切り部とはめ合い、モーターの軸の先端に設けられたピンが前記掃除棒のモーター側に設けた溝付きスライド溝付き丸棒に連結するように挿入し、モーターの軸の回転する方向を変化させることにより、掃除棒が回転しながらノズル穴を開閉する方向に移動するようにして、ノズル穴周りに付着したタール等の不純物を除去するものであり、このような構成にしたことにより小型のモーターでも掃除棒を移動できる充分な力を出すことができる。
【００１７】
請求項４記載の発明は、モーターの軸の先端に設けられたねじ切り部が、掃除棒のモーター側に設けられた溝付きスライド溝付き丸棒に設けたねじ切り部とはめ合い、モーターの軸の回転する方向を変化させることにより、掃除棒がノズル穴を開閉する方向に移動するように構成し、この掃除棒の先端部を鋭角にカットしたことにより、掃除棒の先端がノズル穴から出るまでに至らず途中で止まってしまうことが起きにくくなる。
【００１８】
【実施例】
以下本発明の第１の実施例を図１から図５を参照して説明する。
【００１９】
図１は本発明の実施例である石油燃焼式温風暖房機用気化装置の展開図を示す。
【００２０】
１は石油燃焼式温風暖房機の灯油を気化する気化器、１２は気化器１を加熱するシーズヒータ、１３は電磁ポンプ（図示せず）により灯油を気化器１に供給する送油管で気化器１の一端に接続されている。
【００２１】
１１は灯油の気化ガスを噴出するノズルで気化器１の他端に配置されている。
【００２２】
４はこのノズル１１の先端開口部であるノズル穴である。
【００２３】
５はノズル１１内に出入り自在に挿入され、該ノズル穴４を開閉する掃除棒であり、ノズル穴４側の反対側にはねじ切り部８と溝６を有するスライド溝付き丸棒７が一体で設けてある。
【００２４】
２は回転方向を自在に変化できるモーター、３はこのモーター２の軸であり、この軸３の先端部にはピン１０が設けられている。そして、前記掃除棒５のスライド溝付き丸棒７はモーター２の軸３が挿入できるようにパイプ状になっており、軸３をスライド溝付き丸棒７に挿入すると、スライド溝付き丸棒７の溝６にピン１０が入り込んで引っかかり連結されるため、モーター２の軸３の回転がスライド溝付き丸棒７に伝達され掃除棒５が回転することができる。
【００２５】
１７はモーター２をねじ止めして固定するホルダで、掃除棒５のねじ切り部８とはめ合うねじ切り部９をパイプの内側に設けてある。
【００２６】
図２は気化器１のノズル穴４が閉状態の断面図であり、掃除棒５に設けられたねじ切り部８が、ホルダ１７側、即ち気化器１側に設けられたねじ切り部９とはめ合い、モーター２の軸３の先端に設けられたピン１０が前記掃除棒５のモーター２側に設けられたスライド溝付き丸棒７の溝６に挿入されていて、ピン１０が溝６に引っかかり、モーター２が順方向で回転するとねじ切り部８、９のはめ合いにより掃除棒５が回転しながらノズル穴４方向に移動し、その結果ノズル穴４に掃除棒５の先端部１５が入り込みノズル穴４は閉まった状態となり、灯油の気化ガスは噴出不可となる。
【００２７】
図３は気化器１のノズル穴４が開状態の断面図であり、モーター２が逆方向で回転すると、前述と同様にスライド溝付き丸棒７が回転しながらモーター２の方向に移動し、その結果掃除棒５の先端部１５がノズル穴４と離れ、ノズル穴４が確保され灯油の気化ガスは噴出可能となる。
【００２８】
図４は掃除棒５の先端部１５の拡大図であり、（ａ）は正面図、（ｂ）は側面図を示す。掃除棒５の先端部１５には溝１４が設けられていて、正面図（ａ）に示すように十字形状にしている。
【００２９】
図５は別の例の掃除棒５の先端部１５の拡大図であり、（ａ）は正面図、（ｂ）は側面図を示す。先端部１５の溝１４はドリルの刃の様な形状にしている。
【００３０】
次に、以上のように構成された第１の実施例の動作について説明する。
【００３１】
シーズヒータ１２で気化器１を加熱し、気化器１に設けた温度検出装置（図示せず）の検出する温度が一定温度以上になると、モーター２に順方向で回転する極性の電圧を印加し、モーター２の軸３に連結されたスライド溝付き丸棒７が回転を始め、掃除棒５側のねじ切り部８と気化器１側のホルダ１７のねじ切り部９がはめ合っているため、掃除棒５は回転しながらノズル穴４の方向に移動する。
【００３２】
そしてノズル穴４の中に掃除棒５の先端部１５を挿入する位置まで移動した後モーター２を停止し、ノズル穴４を閉にして灯油の気化ガスが噴出しないようにする（図２）。
【００３３】
更に気化器１の温度が上昇し温度検出装置の検出する温度が一定温度以上になると、モーター２に逆方向で回転する方向に電圧を印加することにより、掃除棒５はモーター２側に回転しながら移動し、ノズル穴４を開の状態にする（図３）。
【００３４】
そして同時に送油管１３より気化器１内に灯油を流入し、気化ガスとなってノズル穴４より噴出させ、バーナ（図示せず）で燃焼させる。
【００３５】
上記構成によれば、ノズル穴４にタールが付着しても、図４または、図５に示される先端部１５に溝１４を有する掃除棒５が、モーター２により回転しながらノズル穴４に挿入されるので、タール等の不純物が溝１４により削り落とされ除去されるので、確実にノズル穴４の開閉を行うことができる。
【００３６】
また、掃除棒５の先端部１５に設けられた溝１４は図４の様な十字形状のものや、図５の様なドリルの刃形状のものがタール等の不純物を削り落とすのに効果的である。
【００３７】
次に、第２の実施例を図６から図１０を参照して説明する。
【００３８】
図６は、本発明の第２の実施例である石油燃焼式温風暖房機用気化装置の展開図を示す。
【００３９】
基本的な構成は第一の実施例に記載する構成と同じであり、相違する点のみ説明すると、掃除棒５のモーター２側には溝６を有するスライド溝付き丸棒１９が設けてあり、このスライド溝付き丸棒１９はモーター２の軸３が挿入できるようにパイプ状になっていて、パイプの内側にはねじ切り部２０が設けてある。
【００４０】
モーター２の軸３には先端部にねじ切り部１６が設けてあり、前記スライド溝付き丸棒１９に挿入され、軸３のねじ切り部１６とスライド溝付き丸棒１９のねじ切り部２０がはめ合うことができる。
【００４１】
１７はスライド溝付き丸棒１９の溝６に入り込み、スライド溝付き丸棒１９の回転を止めるための凸部２１をパイプの内側に設けてあるところの、モーター２をねじ止めして固定するホルダである。
【００４２】
図７は気化器１のノズル穴４が閉状態の断面図であり、スライド溝付き丸棒１９に設けられたねじ切り部２０がモーター２の軸３に設けられたねじ切り部１６とはめ合い、スライド溝付き丸棒１９に設けられた溝６にホルダ１７に設けられた凸部２１が入り込みスライド溝付き丸棒１９の回転を止めるようになるため、モーター２の軸３が順方向で回転するとねじ切り部１９、２０のはめ合いにより掃除棒５がノズル穴４方向に移動し、その結果ノズル穴４に掃除棒５の先端部１５が入り込みノズル穴は閉まった状態になる。
【００４３】
図８は気化器１のノズル穴４が開状態の断面図であり、モーター２が逆方向で回転すると前述と同様に掃除棒５がモーター２の方向に移動し、その結果掃除棒５の先端部１５がノズル穴４と離れ、ノズル穴が確保される。
【００４４】
図９、図１０は掃除棒５の先端部１５の拡大図であり、共に（ａ）は正面図、（ｂ）は側面図を示す。
【００４５】
図９では先端部１５を鋭角に斜めにカットしている一例である。図１０では先端部１５を鋭角にＶ字形にカットしている一例である。
【００４６】
次に、以上のように構成された第２の実施例の動作について説明する。
【００４７】
シーズヒータ１２で気化器１を加熱し、気化器１に設けた温度検出装置（図示せず）の検出する温度が一定温度以上になると、モーター２に順方向で回転する方向に電圧を印加すると、モーター２の軸３が回転を始め、スライド溝付き丸棒１９側のねじ切り部２０とモーター２の軸３のねじ切り部１６がはめ合っているため、掃除棒５はノズル穴４の方向に移動し、そこでノズル穴４にタールや不純物が付着していても図９、図１０のような鋭角的にカットした掃除棒５の先端部１５により突き刺してノズル穴を確保することができる。
【００４８】
そしてノズル穴４の中に掃除棒５の先端部１５を挿入する位置まで移動した後モーター２を停止し、ノズル穴４を閉にして灯油の気化ガスが噴出しないようにする（図７）。
【００４９】
更に気化器１の温度が上昇し温度検出装置の検出する温度が一定温度以上になると、モーター２に逆方向で回転するような極性の電圧を印加することにより、掃除棒５はモーター２側に移動し、ノズル穴４を開の状態にする（図８）。
【００５０】
そして同時に送油管１３より気化器１内に灯油を流入し、気化ガスとなってノズル穴４より噴出させ、バーナ（図示せず）で燃焼する。
【００５１】
【発明の効果】
以上説明したように請求項１記載の発明によれば、掃除棒を回転させながらノズル穴を開閉する方向に移動するように掃除棒とモーターの軸とを連結してノズル穴を開閉するようにしたことにより、掃除棒の先端がノズル穴から出るまで至らず途中で止まったりすることがなく、ノズル穴を確実に確保でき、燃焼不良を引き起こしたり、使用不能になるという問題をなくすことができ、また、掃除棒を回転させながらタール等の不純物を除去するのでそれ程力が必要でなく、小型のモーターが使用できる。
【００５２】
また、請求項２記載の発明によれば、先端部に溝を設けた掃除棒を回転させながらノズル穴を開閉する方向に移動するように掃除棒とモーターの軸とを連結しこの掃除棒の先端部がノズル穴に出入りしてノズル穴を開閉するようにしたことにより、タール等の不純物を効果的に削り落とすことができる。
【００５３】
また、請求項３記載の発明によれば、掃除棒に設けられたねじ切り部が気化器側に設けられたねじ切り部とはめ合い、モーターの軸の先端に設けられたピンが前記掃除棒のモーター側に設けた溝付きスライド溝付き丸棒に連結するように挿入し、モーターの軸の回転する方向を変化させることにより、掃除棒が回転しながらノズル穴を開閉する方向に移動するようにしたことにより、掃除棒の先端がノズル穴から出るまで至らず途中で止まったりすることがなく、ノズル穴を確実に確保でき、燃焼不良を引き起こしたり、使用不能になるという問題をなくすことが簡単な構成で尚かつ安価に提供できる。
【００５４】
また、請求項４記載の発明によれば、モーターの軸の先端に設けられたねじ切り部が、掃除棒のモーター側に設けられた溝付きスライド溝付き丸棒に設けたねじ切り部とはめ合い、モーターの軸の回転する方向を変化させることにより、掃除棒がノズル穴を開閉する方向に移動するように構成し、この掃除棒の先端部が円柱を斜め、またはＶ字にカットされているため、掃除棒の先端がノズル穴から出るまで至らず途中で止まったりすることがなく、ノズル穴を確実に確保でき、燃焼不良を引き起こしたり、使用不能になるという問題をなくすことができる。
【図面の簡単な説明】
【図１】本発明の一実施例における石油燃焼式温風暖房機用気化装置の展開図を示す。
【図２】同気化装置のノズル穴閉状態の断面図を示す。
【図３】同気化装置のノズル穴開状態の断面図を示す。
【図４】（ａ）は掃除棒の先端部拡大図の正面図、（ｂ）は側面図を示す。
【図５】（ａ）は掃除棒の先端部拡大図の正面図、（ｂ）は側面図を示す。
【図６】本発明の一実施例における石油燃焼式温風暖房機用気化装置の展開図を示す。
【図７】同気化装置のノズル穴閉状態の断面図を示す。
【図８】同気化装置のノズル穴開状態の断面図を示す。
【図９】（ａ）は掃除棒の先端部拡大図の正面図、（ｂ）は側面図を示す。
【図１０】（ａ）は掃除棒の先端部拡大図の正面図、（ｂ）は側面図を示す。
【符号の説明】
１  気化器
２  モーター
３  軸
４  ノズル穴
５  掃除棒
６  溝
７  スライド溝付き丸棒
８  ねじ切り部
９  ねじ切り部
１０  ピン
１１  ノズル
１２  シーズヒータ
１３  送油管
１５  先端部
１９  スライド溝付き丸棒
【図１】
2004177073.tif 000003
【図２】
2004177073.tif 000004
【図３】
2004177073.tif 000005
【図４】
2004177073.tif 000006
【図５】
2004177073.tif 000007
【図６】
2004177073.tif 000008
【図７】
2004177073.tif 000009
【図８】
2004177073.tif 000010
【図９】
2004177073.tif 000011
【図１０】
2004177073.tif 000012